(57)【要約】【課題】  アンロック姿勢のロック部材を簡単にロック姿勢に切り換えられるようにして、引き戸の補助ロック装置の操作性を向上する。【解決手段】  屋外引き戸２の屋内側面に取り付け可能な取付基板５と、この取付基板５に上下揺動自在に設けられたロック部材６とを備えており、このロック部材６が、屋内引き戸３の走行経路から外れるアンロック姿勢と、屋内引き戸３の走行経路内に突出するロック姿勢とに切り換え自在になっている引き戸の補助ロック装置において、ロック部材６を常にロック姿勢側に付勢する付勢部材９と、この付勢部材５に抗してロック部材６をアンロック姿勢に保持する保持部材１２と、この保持部材１２による保持を解除するための操作部材１３とを設ける。【選択図】図２
2008127987.tif 000002
【特許請求の範囲】
【請求項１】
屋外引き戸の屋内側面に取り付け可能な取付基板と、この取付基板に上下揺動自在に設けられたロック部材とを備えており、このロック部材が、屋内引き戸の走行経路から外れるアンロック姿勢と屋内引き戸の走行経路内に突出するロック姿勢とに切り換え自在になっている引き戸の補助ロック装置において、
前記ロック部材を常にロック姿勢側に付勢する付勢部材と、この付勢部材に抗して前記ロック部材をアンロック姿勢に保持する保持部材と、この保持部材による保持を解除するための操作部材とを備えていることを特徴とする引き戸の補助ロック装置。
【請求項２】
前記操作部材が前記取付基板の屋内側面に配置されている請求項１に記載の引き戸の補助ロック装置。
【請求項３】
前記保持部材は、前記ロック部材側に付勢された状態で前記取付基板の内部に移動自在に収納されているとともに、前記ロック部材に対する接近又は離反に伴ってアンロック姿勢の当該ロック部材に係脱するアンロック保持用の掛止爪を備えている請求項１又は２に記載の引き戸の補助ロック装置。
【請求項４】
前記保持部材は、更に、前記ロック部材に対する接近又は離反に伴って当該ロック部材の揺動経路に出退し、この揺動経路に出退することで当該ロック部材のアンロック姿勢への揺動を規制又は解除するロック保持用の掛止爪を備えている請求項３に記載の引き戸の補助ロック装置。
【請求項５】
一つの取付基板に対して一対の前記ロック部材と前記操作部材が設けられており、これらの部材が当該取付基板の中心部に対して点対称状態になるように配置されている請求項２〜４のいずれかに記載の引き戸の補助ロック装置。
【発明の詳細な説明】
【技術分野】
【０００１】  本発明は、引き戸の屋内側面に取り付けることで防犯機能を向上できる引き戸の補助ロック装置に関する。
【背景技術】
【０００２】  例えば、家屋の窓部やバルコニー等におけるアルミサッシよりなる引き戸装置には、部外者が屋内へ侵入するのを防止するための本締まり錠としてクレセント錠が広く採用されている。
しかし、上記クレセント錠による施錠だけでは、屋外引き戸のガラスの錠対応部分だけを割って当該クレセント錠を解錠すれば、部外者が比較的容易に侵入できることが知られている。【０００３】  そこで、例えば、図４に示すように、屋外引き戸２のガラスの屋内側面に貼り付け可能な取付基板５と、この取付基板５に上下揺動自在に設けられたロック部材６とを備えた引き戸の補助ロック装置１が既に開発されている。
この場合のロック部材６は、取付基板５に対して横軸心回りに上下揺動自在に枢着された板材よりなり、屋内引き戸３の走行経路から外れるアンロック姿勢（図５（ａ）の状態）と、屋内引き戸３の走行経路内に突出するロック姿勢（図５（ｂ）及び（ｃ）の状態）とに切り換え自在になっている。【０００４】  そして、この従来の補助ロック装置１によれば、図５（ａ）（ｂ）に示すように、当該ロック装置１を屋外引き戸２の隅部に貼り付けた場合には、クレセント錠２８による本施錠に加えて、閉鎖状態にある両引き戸２，３を補助的にロックすることができる。また、図５（ｃ）に示すように、当該ロック装置１を屋外引き戸２の中央部よりに貼り付けた場合には、屋内引き戸３を換気のために半開きにした状態で両引き戸２，３をロックすることができる。
【特許文献１】  実用新案登録第３０５４４２９号公報
【発明の開示】
【発明が解決しようとする課題】
【０００５】  上記従来の補助ロック装置１では、ロック部材６又は取付基板５の一方に他方を吸着する板状の磁石が取り付けられており、この磁石によってロック部材６は常にアンロック姿勢に保持されている。
このため、両引き戸２，３をロックするためにロック部材６をロック姿勢側に揺動させる場合、ユーザは、上記磁石の磁力よりも大きな力でロック部材６を屋内側に揺動させる必要があり、ロック部材６をロック姿勢にする操作が煩雑であるという欠点がある。【０００６】  特に、上記従来の補助ロック装置１では、ロック部材６を取付基板５に磁力で吸着させることでロック部材６をアンロック姿勢に保持していることから、例えば冬季にロック部材６が凍結した状態で取付基板５に吸着した場合には、当該ロック部材６をロック姿勢側に揺動するのが非常に困難になる場合がある。
そこで、本発明の課題は、アンロック姿勢のロック部材を簡単にロック姿勢に切り換えられるようにして、引き戸の補助ロック装置の操作性を向上する点にある。
【課題を解決するための手段】
【０００７】  上記課題を達成するために、本発明は次の解決手段を採用した。
すなわち、本発明は、前記した引き戸の補助ロック装置において、前記ロック部材を常にロック姿勢側に付勢する付勢部材と、この付勢部材に抗して前記ロック部材をアンロック姿勢に保持する保持部材と、この保持部材による保持を解除するための操作部材とを備えていることを特徴とする。【０００８】  本発明によれば、付勢部材がロック部材を常にロック姿勢側に付勢し、かつ、保持部材がその付勢部材に抗してロック部材をアンロック姿勢に保持しており、その保持部材による保持を操作部材で解除するようになっている。このため、操作部材を操作して保持部材による保持を解除すると、ロック部材が付勢部材の付勢力でロック姿勢側に揺動し、ロック部材を自動的にロック姿勢にすることができる。
従って、従来のように、磁力で取付基板に吸着しているロック部材をその磁力に抗して屋内側に揺動させる場合に比べて、アンロック姿勢のロック部材を簡単にロック姿勢に切り換えることができる。【０００９】  本発明において、前記操作部材を設ける位置は特に限定されないが、当該操作部材は前記取付基板の屋内側面に配置されていることが好ましい。
この場合、操作部材の存在を屋内側から確実に視認でき、しかも、操作部材を手指で操作し易くなるので、ロック部材をロック姿勢にする場合の操作性をより向上することができる。【００１０】  本発明において、前記保持部材の具体的構成としては、前記ロック部材側に付勢された状態で前記取付基板の内部に移動自在に収納されているとともに、前記ロック部材に対する接近又は離反に伴ってアンロック姿勢の当該ロック部材に係脱するアンロック保持用の掛止爪を備えているものを採用することができる。
この場合、保持部材がロック部材側（図２の矢印Ａ方向）に付勢されており、アンロック保持用の掛止爪が常にロック部材に係合する位置に保持されているので、操作部材で保持部材をロック部材から離反する方向に移動させると、上記掛止爪がロック部材から外れ、ロック部材が付勢部材の付勢力でロック姿勢側に揺動する。【００１１】  ところで、前記した従来の補助ロック装置（図４）では、ロック姿勢にあるロック部材をその姿勢に保持しておく機能を備えていない。
従って、ロック保持機能がない通常のクレセント錠の場合と同様に、泥棒等の侵入者が屋外引き戸のガラスの補助ロック装置に対応する部分だけを割って屋内に手を入れれば、その後は、ロック部材を上方に揺動してアンロック姿勢に戻すだけで、当該補助ロック装置が簡単に解除されてしまう恐れがあった。【００１２】  そこで、本発明において、前記保持部材は、更に、前記ロック部材に対する接近又は離反に伴って当該ロック部材の揺動経路に出退し、この揺動経路に出退することで当該ロック部材のアンロック姿勢への揺動を規制又は解除するロック保持用の掛止爪を備えていることが好ましい。
この場合、ロック部材側に付勢されている保持部材に上記掛止爪を設けているので、ロック姿勢になっているロック部材に対しては、操作部材によってロック部材から離反する方向に保持部材を移動させて上記掛止爪をロック部材の揺動経路から退出させない限り、ロック姿勢になっているロック部材をアンロック姿勢に戻すことができない。【００１３】  従って、侵入者が屋外引き戸のガラスの補助ロック装置に対応する部分だけを割って屋内に手を入れても、操作部材の存在に気づかない限りロック部材をアンロック姿勢にすることができなくなり、このため、ロック部材をアンロック姿勢に戻すだけで補助ロック装置が簡単に解錠されてしまうのを未然に防止することができる。【００１４】  また、本発明において、一つの取付基板に対して一対の前記ロック部材と前記操作部材が設けられており、これらの部材が当該取付基板の中心部に対して点対称状態になるように配置されていることが好ましい。
この場合、補助ロック装置の取付基板を上下反転して取り付けても、補助ロック装置はまったく同じ機能を奏するものとなる。このため、ユーザが上下の向きを気にすることなく補助ロック装置を屋外引き戸に取り付けることができ、この点で補助ロック装置の取り付け作業が容易になる。
【発明の効果】
【００１５】  以上の通り、本発明によれば、アンロック姿勢のロック部材を簡単にロック姿勢に切り換えることができるので、引き戸の補助ロック装置の操作性が向上する。
【発明を実施するための最良の形態】
【００１６】  以下、図面に基づいて本発明の実施形態を説明する。
図１〜図３は、本発明の実施形態を示している。このうち、図１は、建物家屋の窓部やバルコニー等に設置されるアルミサッシよりなる引き戸装置に、本実施形態の補助ロック装置１を取り付けた状態を示している。
同図に示すように、この引き戸装置は、図示していないサッシ枠に互いに引き違い状となるように走行自在に嵌め込まれた屋外引き戸２及び屋内引き戸３と、これらの両引き戸２，３を本締めするためのクレセント錠（図示せず）とを備えていて、両引き戸２，３の枠内には板状の透明又は半透明のガラス４が嵌め込まれている。【００１７】  一方、本実施形態の補助ロック装置１は、屋外引き戸２のガラス４の屋内側面に取り付け可能な取付基板５と、この取付基板５に上下揺動自在に設けられた一対のロック部材６を備えている。
これらのロック部材６は、幅方向で互いに離れた位置に配置されており、屋内引き戸３の走行経路から外れるアンロック姿勢（図１における右側のロック部材６の姿勢）と、屋内引き戸３の走行経路内に突出するロック姿勢（図１の左側のロック部材６の姿勢）とに切り換え自在となっている。【００１８】  図２に示すように、上記取付基板５は、扁平でかつ中空の四隅がアール状に面取りされたアルミ合金製の箱体よりなり、この取付基板５の裏面側には粘着性接着剤等よりなる接着層（図示せず）が設けられている。
この接着層に、「防犯補助錠設置」という警告表示を記載し、この警告表示をガラス４を透して屋外側から見えるようにすれば、泥棒等の部外者の侵入を心理的に牽制することができる。なお、この警告表示は、当該引き戸装置に何らかの防犯対策が施されていることを観念させる表示であればよく、「警官立ち寄り所」や「セキュリティーシステム設置済み」等の種々の表示を採用することができる。【００１９】  取付基板５の上側かつ右側隅部と下側かつ左側縁部には、ロック部材６の収納凹部７が形成されている。この収納凹部７の外縁部には水平方向の枢着軸８が架設されており、この枢着軸８をロック部材６の基端部に貫通させることにより、ロック部材６が上下揺動自在に取付基板５に枢着されている。
なお、図３に示すように、ロック部材６がアンロック姿勢になると、ロック部材６のほぼ全体が収納凹部７内に収納され、当該ロック部材６の表面が取付基板５の表面とほぼ面一になる。また、取付基板５の厚さＴ（図３参照）は、屋外引き戸２のガラス４と屋内引き戸３の縦枠３Ａとの間の隙間Ｅ（図１参照）よりも小さくなるように設定されている。【００２０】  一対のロック部材６は、いずれも、ほぼ長方形状のステンレス製の板材よりなる。この一対のロック部材６のうち、上側の第一ロック部材６Ａは、当該ロック部材６Ａが下方に揺動してその全体が収納凹部７に収納されたときにアンロック姿勢となり、この姿勢から９０度だけ上方に揺動して、取付基板５に対して垂直に突出するロック姿勢となる。
他方、下側の第二ロック部材６Ｂは、当該ロック部材６Ｂが上方に揺動してその全体が収納凹部７に収納されたときにアンロック姿勢となり、この姿勢から９０度だけ下方に揺動して、取付基板５に対して垂直に突出するロック姿勢となる。【００２１】  前記枢着軸８には、ロック部材６を常にロック姿勢側に付勢する付勢部材として機能する巻きバネ９が巻き付けられており、ロック部材６の基端縁には、ロック部材６の揺動角度をほぼ９０度に規制するための規制片１０が形成されている。
このため、巻きバネ１０によってロック姿勢側に付勢されたロック部材６は、その規制片１０が取付基板５に当接することにより、当該ロック部材６が取付基板５に対して垂直に突出するロック姿勢に保持される。【００２２】  図２に示すように、取付基板５の内部には、上記巻きバネ９の付勢力に抗してロック部材６をアンロック姿勢に保持する保持部材１２が収納され、取付基板５の表面（屋内側面）には、その保持部材１２による保持を解除するための操作部材１３が設けられている。
保持部材１３は、水平方向に沿って左右両側に移動自在となるように取付基板５の内部に収納された横長の金属製板材よりなり、収納凹部７に向かって出退する上下一対の掛止爪１４，１５を先端部に備えている。【００２３】  また、取付基板５の内部には、上記保持部材１２を常にロック部材６側に付勢する付勢部材として機能するコイルバネ１６が収納されている。このコイルバネ１６のバネ力により、上下一対の掛止爪１４，１５がいずれも収納凹部７に向かって常時突出するようになっている。
保持部材１２の長手方向中途部には、取付基板５の表面側に露出する操作片１７が形成されており、この操作片１７に前記操作部材１３が直結されている。【００２４】  このため、操作部材１３を手指で操作してロック部材６から離れる方向にスライドさせることにより、コイルバネ１６の付勢力に抗して保持部材１２を同方向に移動させることができ、このさい、上下一対の掛止爪１４，１５がともに収納凹部７から取付基板５の内部に引き込まれるようになっている。
本実施形態の操作部材１３は、表面が湾曲したほぼ長方形状のブロック体よりなり、取付基板５の表面に形成された収納溝１８に収納されている。なお、この収納溝１８の内部には、ロック部材６をロック姿勢に切り換える場合の、操作部材１３による操作方向を示す矢印１９が刻印されている。【００２５】  また、図２に示すように、本実施形態では、一つの取付基板５に対して一対のロック部材６と操作部材１３が設けられている。これらの部材６，１３は、当該取付基板５の中心部に対して点対称状態になるように配置されており、取付基板５を上下反転して取り付けても、補助ロック装置１がまったく同じ機能を奏するものとなっている。このため、ユーザが上下の向きを気にすることなく補助ロック装置１を屋外引き戸２に取り付けることができ、この点で補助ロック装置１の取り付け作業が容易である。【００２６】  保持部材１２に形成された上下一対の掛止爪１４，１５のうち、枢着軸８から遠い方の第一掛止爪１４は、ロック部材６に対する接近又は離反に伴ってアンロック姿勢の当該ロック部材６に係脱するアンロック保持用のものである。
このため、操作部材１３を操作して保持部材１２をロック部材６から離反する方向に移動させると、第一掛止爪１４がロック部材６から外れ、ロック部材６が巻きバネ９の付勢力でロック姿勢側に揺動するようになっている。【００２７】  一方、枢着軸８に近い方の第二掛止爪１５は、ロック部材６に対する接近又は離反に伴って当該ロック部材６の揺動経路に出退し、この揺動経路に出退することで当該ロック部材６のアンロック姿勢への揺動を規制するロック保持用のものである。
このため、ロック部材６がロック姿勢になっている場合には、操作部材１３を操作して保持部材１２をロック部材６から離反する方向に移動させて、第二掛止爪１５をロック部材６の揺動経路から退出させない限り、ロック姿勢になっているロック部材６をアンロック姿勢に戻すことができない。【００２８】  次に、本実施形態の補助ロック装置１の使用方法と作用を説明する。
まず、補助ロック装置１を屋外引き戸２のガラス４に取り付け状態において、一対のロック部材６がいずれもアンロック状態にある場合（図２及び図３参照）には、補助ロック装置１が前記隙間Ｅ（図１参照）を通り抜けることができ、両引き戸２，３をサッシ枠に沿って走行させることができる。【００２９】  一方、補助ロック装置１で両引き戸２，３をロックするには、操作部材１３を矢印１９の方向へスライドさせればよい。すると、操作部材１３に直結された保持部材１２が、コイルバネ１６の付勢力に抗してロック部材６から離れる方向に移動し、これによって第一掛止爪１４がロック部材６から外れ、巻きバネ９の付勢力でロック部材６が揺動してロック姿勢となる。このロック部材６がロック姿勢になると、ロック部材６が屋内引き戸３の走行経路に突出するため、両引き戸２，３がサッシ枠に沿って走行できなくなり、ロックされることになる。【００３０】  このように、本実施形態の補助ロック装置１によれば、操作部材１３を操作して保持部材１２による保持を解除すると、ロック部材６が巻きバネ９の付勢力でロック姿勢側に揺動し、ロック部材６を自動的にロック姿勢にすることができる。
従って、従来のように、磁力で取付基板５に吸着しているロック部材６をその磁力に抗して屋内側に揺動させる場合に比べて、アンロック姿勢のロック部材６を簡単にロック姿勢に切り換えることができる。【００３１】  なお、一対のロック部材６のうち、上側に位置する第一ロック部材６Ａをロック姿勢にすれば、クレセント錠による本施錠に加えて、閉鎖状態にある引き戸２，３を補助的にロックすることができる（閉鎖ロック）。
また、図１に示すように、第一ロック部材６Ａを折り畳んでアンロック姿勢にし、かつ、下側に位置する第二ロック部材６Ｂを取付基板５から突出させてロック姿勢にしておくことにより、屋内引き戸３を換気のために半開きにした状態でロックすることができる（半開きロック）。【００３２】  一方、本実施形態の補助ロック装置１では、保持部材１２がコイルバネ１６でロック部材６側に付勢されており、これにより、第一掛止爪１４だけでなく第二掛止爪１５も収納凹部７内に常に突出している。
このため、いったんロック姿勢になったロック部材６に対しては、操作部材１３によってロック部材６から離反する方向（図１の矢印１９方向）に保持部材１２を移動させて、第二掛止爪１５をロック部材６の揺動経路から退出させない限り、ロック姿勢のロック部材６をアンロック姿勢に戻すことができない。【００３３】  従って、侵入者が屋外引き戸２のガラス４の補助ロック装置１に対応する部分だけを割って屋内に手を入れても、操作部材１３の存在に気づかない限りロック部材６をアンロック姿勢にすることができなくなり、このため、ロック部材６をアンロック姿勢に戻すだけで補助ロック装置１が簡単に解錠されてしまうのを未然に防止することができる。【００３４】  なお、本発明は上記実施形態に限定されるものではなく、例えば、一つの取付基板５に対してロック部材６を一つだけ設けることにしてもよい。
また、本発明の補助ロック装置１は、引き戸２，３間の隙間が大きい場合には、屋外引き戸２のガラス４ではなく上枠又は下枠に貼り付けることもできる。
【図面の簡単な説明】
【００３５】
【図１】  本発明の補助ロック装置とその設置状態を示す斜視図である。
【図２】  ロック部材がアンロック姿勢の場合の同ロック装置の正面図である。
【図３】  ロック部材がアンロック姿勢の場合の同ロック装置の左側面図である。
【図４】  従来の補助ロック装置を取り付けた引き戸装置を屋内側から見た正面図であり、（ａ）は屋外引き戸の隅部に取り付けたロック装置がアンロック姿勢である場合、（ｂ）は同隅部に取り付けたロック装置がロック姿勢にある場合、（ｃ）は屋外引き戸の中央部よりに取り付けたロック装置がロック姿勢にある場合を示す。
【符号の説明】
【００３６】  １      補助ロック装置
２      屋外引き戸
３      屋内引き戸
５      取付基板
６      ロック部材
９      巻きバネ（付勢部材）
１２      保持部材
１３      操作部材
１４      第一掛止爪（アンロック保持用）
１５      第二掛止爪（ロック保持用）
【図１】
2008127987.tif 000003
【図２】
2008127987.tif 000004
【図３】
2008127987.tif 000005
【図４】
2008127987.tif 000006